(57)【要約】【課題】洗浄水をヒータで加熱してその水温の上昇率により食器の量を判定する食器洗い機において外部要因の低減と検出感度を上げる。【解決手段】トライアックでヒータを通電通電制御することにより、ヒータの発熱量を一定にし、ヒータ自身のバラツキ及び電源電圧の変動要因を無くす。また、検出感度を上げるため検知時の洗浄水の量を少なくすることにより水温の上昇率を増加させる。【効果】ヒータに通電する電圧と電流の積すなわち入力を一定に制御しているので、ヒータのバラツキと電圧のバラツキがなくなり食器の量を決める水温の上昇率の閾値は、洗浄槽内の温度のみがパラメータとなり閾値の設定が容易となる。また、洗浄水を洗浄最低水位に設定した状態で食器量の判定を行うので水温の上昇率が大きくなり、温度検知の温度範囲が大きくなってサーミスタによる温度検出感度が良くなる。【選択図】  図３
2005052216.tif 000002
【特許請求の範囲】
【請求項１】
洗浄水をヒータにより加熱し、その水温の温度変化率を検出することにより食器の量を判定している食器洗い機において、電圧検出手段と電流検出手段を備え、ヒータの入力を一定に制御したことを特徴とする食器洗い機。
【請求項２】
洗浄水供給時に洗浄最低水位としたことを特徴とする前記請求項１記載の食器洗い機。
【請求項３】
水温検出用サーミスタを洗浄槽内に設置し、その外郭は熱伝導性の良い金属又はセラミックを使用したことを特徴とする前記請求項１記載の食器洗い機。
【請求項４】
洗浄水の複数個のノズルに対する水流切替え装置を備え、１ノズルのみ使用したことを特徴とする前記請求項１記載の食器洗い機。
【請求項５】
前記請求項２において、一回の給水量を２リットル〜２．７５リットルにしたことを特徴とする食器洗い機。
【請求項６】
前記請求項１及び請求項２において、水温の温度上昇の均一化を図るため、下ノズルの噴射と上ノズルの噴射を交互に行うことを特徴とする食器洗い機。
【発明の詳細な説明】
【０００１】
【発明の属する技術分野】
本発明は洗浄水をヒータで加熱して水温の上昇率を検知して食器の量を判定する食器洗い機に関する。
【０００２】
【従来の技術】
特許文献１には、洗浄水をヒータで加熱してその水温の上昇率をみて食器の量を判定することは記載されている。しかしながら、ヒータのバラツキ、電源電圧の変動、外気温度の変化等による影響が大きく、これらを考慮して食器の量を判定するには外部要因が多すぎて閾値のプログラムを作成するのに大変時間を要するため外部要因を低減し検出感度を上げる必要がある。
【０００３】
【特許文献１】
特許第２５２３７５２号
【０００４】
【発明が解決しようとする課題】
本発明は洗浄水をヒータで加熱してその水温の上昇率により食器の量を判定する食器洗い機において外部要因の低減と検出感度を上げた食器洗い機を提供することを目的とする。
【０００５】
【課題を解決するための手段】
本発明は外部要因を低減するためにヒータに流れる電流と電圧を検知して入力が一定になるようにトライアックでヒータを通電制御することによりヒータの発熱量を一定にして、ヒータ自身のバラツキ及び電源電圧の変動要因を無くしている。また、検出感度を上げるため検知時の洗浄水の量を少なくすることにより水温の上昇率を増加させている。
【０００６】
【発明の実施の形態】
図１に本発明の一実施例である食器洗い機の正面図を示す。前面にはドア開閉用のアーム１があり、このアーム１を押すことによりドアロックが解除され、取っ手２が付いた上扉３と下扉４がほぼ同時に開く。また下部には操作表示部５がありスタートボタン６を押すことにより運転を開始する。操作表示部５の裏側にはコントローラ７が内蔵されている。
【０００７】
図２は、本発明の一実施例による食器洗い機の縦断面図を示す。洗浄槽８の下部には、洗浄槽８内に貯溜した洗浄水を吸込み加圧して吐出す洗浄ポンプ９と、加圧された洗浄水を上カゴ１０と下カゴ１１に向けて洗浄水を噴射する洗浄ノズルが具備されている。洗浄ノズルは上カゴ１０の上部と下カゴ１１の下部または横部に取付け、位置及び個数については自由であるが、本発明の一実施例による食器洗い機においては、下カゴ１１の下部方向に２個の回転ノズル１２、その２個の中央近傍に配置した固定ノズル１個と上カゴ１０の上部方向に複数の噴射孔を持つ８個の固定ノズル１３が設置されている。本図には示されてはいないが、水流切替え装置により下側の回転ノズル１２と固定ノズル１３そして上側の固定ノズル１３に独立して水流を切替えることが出来る。また、洗浄水位についても洗浄最低水位と通常水位の二ヶ所設定出来るようになっている。洗浄ポンプ９により加圧された洗浄水を洗浄ノズルより食器に噴射することにより食器に付着している汚れを洗浄することにより残菜が洗浄水の中に溶解又は混合し、前記洗浄槽８の底部及び前記洗浄ポンプ９の吸込側途中に設置されている残菜フィルター１４により、洗浄した残菜をこし取る方式としている。このように食器洗い機は、洗浄槽８内に貯溜されている洗浄水を洗浄ポンプ９により循環しながら、上カゴ１０と下カゴ１１に収納されている食器１５を洗浄するものであるが、前記残菜フィルター１４の下部には洗浄水を加熱するための加熱用のヒータ１６がある。洗浄、すすぎが終了すると食器１５を乾燥させるための送風を行う乾燥用ファン１７と、乾燥用ファン１７から送風された風を加熱するための温風用ヒータ１８を動作させて食器１５を乾燥する。洗浄槽内には洗浄水の水温を検知するためのサーミスタ１９がついている。サーミスタ１９の固定は、従来は洗浄槽８を成形する時に樹脂で一体成形していたが、温度の検知感度が熱伝導の悪い樹脂層により時間遅れが大きくなるため検出誤差が大きくなるので直接槽内に突き出している構造としている。このため耐食性及び熱伝導が良い材料としてステンレスやセラミックなどで外郭を構成したものを用いている。
【０００８】
図３は、本発明の一実施例を示す回路の部分簡略図を示す。電源２０に直列に電源スイッチ２１が接続されている。ヒータ２２には電源の通電率を制御するためのトライアック２３と電流検出装置２４が接続されている。また、ヒータ２２の両端には電圧検知装置２５が入っている。これらの情報をマイコン２６に取り込んでトライアック２３を設定された入力値になるように通電率をマイコン２６で制御して一定入力としている。本発明では検知時間内で電力量が同じになればよいのでＯＮ―ＯＦＦにより電力量を同じに制御しても良い。
【０００９】
図４に運転開始から食器量判定までのフローチャートを示す。食器量の検知は、開始後排水動作を実行する。次に給水を行うが最初に洗浄水を洗浄最低水位まで供給した後、給水と槽内の温度差がある場合があるので給水完了後数分間ヒータを入れないでならし運転を行う。ならし運転終了後、洗浄水の温度を測定し、ヒータ加熱を開始する。この時、ヒータには電圧検知装置と電流検知装置により電圧と電流の値をマイコンで取り込み演算処理を行い入力値があらかじめ設定された値と同じになるようにトライアックの通電率を制御する。設定された時間が経過したらサーミスタにより温度情報をマイコンに取り込み温度上昇率を計算して食器量の判定を行う。
【００１０】
図５はヒータ２２に印加される電圧によって水温上昇率がどの様に変化しているのかを示しており、食器量が少ないとＡ側になり、食器量が多いとＢ側になる。これをみると電源の電圧が電圧の許容値の９０〜１１０Ｖまで変化すると１．５〜２．３（℃／分）変化する。これは、図６に示す食器量に対する水温上昇率のグラフでみると電圧の変化だけでレンジがオーバし電圧補正をしないと食器量の検知が出来ないことを示している。
【００１１】
図６は、本発明の一実施例を示すヒータ入力を一定に制御した時の食器量と水温上昇率の関係を示している。これをみると食器量の少ないほうが温度上昇率が大きくなっている。また、洗浄水量が多い場合はＤのようになり水温上昇率が低下するが洗浄水量が少ない時はＣの様になり水温上昇率が増加する。
【００１２】
図７に食器量判定後の各工程を示している。食器量１〜２人前の時は最低洗浄水位のまま洗浄を実行し同時に洗浄時間も短縮する。また、すすぎ工程もすすぎ２は無くし、乾燥時間も短縮している。３〜４人前の時は、洗浄水は最低水位のままで追加はしないで洗浄を行い洗浄時間は標準中とし、すすぎも２回と加熱すすぎを入れて３回とし乾燥時間も標準としている。５〜６人前については、洗浄水の追加を行い洗浄の最高水位とし、すすぎについても加熱すすぎを含め３回とし、乾燥時間については標準より長く設定している。これにより、各工程における最適化を図っている。また、本実施例によると洗いの洗浄水を洗浄最低水位に設定した状態で食器量の判定を行うので、判定時間の短縮と食器の量が少ない時の洗浄水の使用量が低減できる効果がある。
【００１３】
【発明の効果】
本発明によれば、ヒータに通電する電圧と電流の積すなわち入力を一定に制御しているので、ヒータのバラツキと電圧のバラツキがなくなり食器の量を決める水温の上昇率の閾値は、洗浄槽内の温度のみがパラメータとなり閾値の設定が容易となる効果がある。また、洗浄水を洗浄最低水位に設定した状態で食器量の判定を行うので水温の上昇率が大きくなり、温度検知の温度範囲が大きくなってサーミスタによる温度検出感度が良くなる効果がある。
【図面の簡単な説明】
【図１】本発明の一実施例である食器洗い機の正面図を示す。
【図２】本発明の一実施例による食器洗い機の縦断面図を示す。
【図３】本発明の一実施例である回路図の部分簡略図を示す。
【図４】本発明の一実施例である食器量を決めるフローチャートを示す。
【図５】本発明の一実施例である電源電圧と水温上昇率の関係を示す。
【図６】本発明の一実施例である食器量と水温上昇率の関係を示す。
【図７】本発明の一実施例である食器量を決めた後の食器量に対する各工程のフローチャートを示す。
【符号の説明】
１…アーム、２…取っ手、３…上扉、４…下扉、５…操作表示部、６…スタートボタン、７…コントローラ、８…洗浄槽、９…洗浄ポンプ、１０…上カゴ、１１…下カゴ、１２…回転ノズル、１３…固定ノズル、１４…残菜フィルター、１５…食器、１６、２２…ヒータ、１７…乾燥用ファン、１８…温風用ヒータ、１９…サーミスタ、２０…電源、２１…電源スイッチ、２３…トライアック、２４…電流検出装置、２５…電圧検知装置、２６…マイコン。
【図１】
2005052216.tif 000003
【図２】
2005052216.tif 000004
【図３】
2005052216.tif 000005
【図４】
2005052216.tif 000006
【図５】
2005052216.tif 000007
【図６】
2005052216.tif 000008
【図７】
2005052216.tif 000009